(57)【要約】【課題】撮影装置において、撮像した映像信号と、予め記録媒体に記録した映像信号とを合成記録する場合、従来の撮影装置においては合成した映像信号のみを予め映像を記録した記録媒体とは別の記録媒体に対して記録しており、撮像した映像信号のみを得ることはできなかった。【解決手段】予め記録媒体に合成する為の映像信号を記録しておき、撮影装置で撮影した映像信号を合成した映像をビューファインダー上に表示し、合成結果を確認しながら収録を行う。記録媒体には合成前の撮像した映像信号を記録する。これにより撮像した映像信号のみを得ることが可能であり、合成した映像については編集時に合成することで得ることが可能となる。【選択図】図１
2006148399.tif 000002
【特許請求の範囲】
【請求項１】
撮像した映像信号を出力する撮像手段と、
前記撮像手段から出力される映像信号に信号処理を行い、デジタル映像信号を出力する記録映像信号処理手段と、
記録媒体に予め記録された映像ファイルから映像を再生する映像ファイル再生手段と、
前記映像ファイル再生手段から再生された映像と前記記録映像信号処理手段から出力された映像とを合成する映像信号合成手段と、
前記映像信号合成手段から出力される合成された映像信号を表示する表示手段と、
前記記録映像信号処理手段から出力された映像信号を符号化し、所定のファイル形式に変換して記録媒体に記録する手段と、
を備えることを特徴とする撮影装置。
【請求項２】
前記映像信号合成手段から出力される合成された映像信号を符号化し、所定のファイル形式に変換する合成映像ファイル生成手段と、
前記合成映像ファイル生成手段で生成されたファイルを記録媒体に記録する手段と、
備えることを特徴とする請求項１に記載の撮影装置。
【発明の詳細な説明】
【技術分野】
【０００１】
本発明は、記録媒体に予め記録された収録支援情報に基づいて、映像音声情報を収録する、複数の着脱可能な記録媒体を装填可能な撮影装置に関する。
【背景技術】
【０００２】
従来の撮影装置上でクロマキー合成を行う技術について説明する。クロマキー合成などを行う為の映像信号を予め記録媒体に記録しておく。撮影装置で収録を行う際に、同時に記録媒体内の映像信号を再生し、映像合成手段を用いて映像を合成する。合成された映像信号を記録媒体に記録する。
【０００３】
上記のような従来の撮影装置としては、特許文献１に記載されたものが知られている。
【特許文献１】特開平６−２５１３７２号公報
【発明の開示】
【発明が解決しようとする課題】
【０００４】
以上のような従来の撮影装置においては、記録媒体に予め記録された映像信号と収録を行った映像との合成映像のみが記録媒体に記録されることになり、合成前の映像信号は記録されない。
【０００５】
本発明は収録を行った映像と予め記録しておいた映像信号とを別に記録することで、従来技術の課題を解決する。
【課題を解決するための手段】
【０００６】
上記課題を解決するために本発明の撮影装置は、記録媒体に予め記録された映像情報と収録した映像を合成、表示装置に出力し、収録映像情報のみを記録することを特徴とする。
【０００７】
具体的には、撮像した映像信号を出力する撮像手段と、
前記撮像手段から出力される映像信号に信号処理を行い、デジタル映像信号を出力する記録映像信号処理手段と、
記録媒体に予め記録された映像ファイルから映像を再生する映像ファイル再生手段と、
前記映像ファイル再生手段から再生された映像と前記記録映像信号処理手段から出力された映像とを合成する映像信号合成手段と、
前記映像信号合成手段から出力される合成された映像信号を表示する表示手段と、
前記記録映像信号処理手段から出力された映像信号を符号化し、所定のファイル形式に変換して記録媒体に記録する手段と、
を備えることを特徴とする撮影装置であり、収録時に構図の確認をすることを特徴とする。
【発明の効果】
【０００８】
記録媒体に予め記録しておいた映像信号と収録した映像信号を合成した映像をビューファインダー上に表示することにより、クロマキー合成などを行った合成結果を確認しながら収録作業を行うことが可能であり、記録媒体には合成前の映像信号を記録するため、編集作業時に高い自由度を得ることが可能となる。
【発明を実施するための最良の形態】
【０００９】
以下、本発明の実施の形態について、図１〜４を用いて説明する。
【００１０】
（実施の形態１）
図１は本発明の実施の形態１における撮影装置のブロック構成図である。
【００１１】
以下に、その動作、処理を説明する。
【００１２】
本発明の実施の形態１の撮影装置は、撮像手段１、記録映像信号処理手段２、映像信号符号化手段３、映像ファイル生成手段４、記録再生制御手段５、第１の装填手段６、第ｎの装填手段７、第１の記録媒体８、及び、第ｎの記録媒体９、映像ファイル再生手段１０、映像信号合成手段１１、表示手段としてのビューファインダー１２を備える。
【００１３】
本発明の撮影装置を用いてビューファインダー１２に撮影映像と予め記録された映像の合成表示を行いながら、撮影映像信号を記録媒体に記録する動作について説明する。
【００１４】
第１の記録媒体８から第ｎの記録媒体９のいずれかの中に予め記録された映像ファイルが記録再生制御手段５によって読み出される。読み出された映像ファイルは映像ファイル再生手段１０を用いて再生される。映像信号合成手段１１によって、映像ファイル再生手段１を用いて再生された映像信号と、撮像手段１によって撮像され記録映像信号処理手段２によって信号処理を行われた映像信号が合成される。合成された映像信号はビューファインダー１２に表示される。一方、映像信号合成手段１１によって合成される信号とは別に、記録映像信号処理手段２から出力された映像信号は、映像信号符号化手段３によって符号化される。符号化された映像信号は映像ファイル生成手段４によって所定のファイル形式によって第１の記録媒体８から第ｎの記録媒体９のいずれかに記録される。このとき記録される映像ファイルは記録再生制御手段５の制御により予め記録されていた映像ファイルとは別ファイルに記録される。この動作について図２に示す。
【００１５】
記録媒体に予めクロマキー合成などに用いる映像を記録しておき、収録時に撮影と同時に再生する。予め記録された映像信号と撮影された映像信号は合成され、ビューファインダー上に表示される。撮影された映像信号は予め記録された映像信号とは別に符号化され、映像ファイルとなる。記録媒体から予め記録された映像信号を読み出しながら、撮影された映像信号を記録媒体に記録する。
【００１６】
以上のように本実施の形態によれば、最終的にはクロマキー合成などの加工処理を行うことを目的とした映像を撮影する場合に、予め記録媒体に記録された合成用に使用する映像と、撮影された映像とを撮影装置内で合成処理し、合成された映像をビューファインダー等の表示手段で表示して確認しながら撮影を行うことにより、収録の段階で、合成処理を施した最終的な形の映像として撮影した映像を評価することが可能となる。したがって、記録媒体を収録現場から持ち帰って、実際に編集、加工処理を行ってから撮影した映像を評価するのに対して、迅速かつ確実に最適な映像を選択することができる。また、記録媒体に記録される撮影された映像信号と、予め記録されている映像信号は別ファイルになっており、かつ記録媒体に記録される映像信号は合成処理が行われていない撮影した映像信号そのものであるため、撮影後に行う編集作業の自由度を広げることが可能となる。
【００１７】
なお、記録媒体に予め記録しておく映像信号は単一のファイルに限らず、複数のファイルに別れていても良く、収録された映像信号を記録する記録媒体と予め映像を記録しておく記録媒体が異なっても良い。
【００１８】
また、上一連の実施の形態における映像信号の符号化は、ＤＶ規格やＭＰＥＧ２規格など、高効率な符号化が考えられるが、符号化の規格であれば如何なる規格でも良く、例えば、ＭＰＥＧ４、ＪＰＥＧ２０００、Ｍｏｔｉｏｎ  ＪＰＥＧ２０００等の規格であっても良い。
【００１９】
また、装填手段は、種類の異なるカードスロットを設けて、タイプの異なるカード状記録媒体を着脱可能とする構成としても良い。例えば、高解像度の再生映像を得る高ビットレートのビットストリームをＰＣカード  ＴＹＰＥ１、ＴＹＰＥ２、もしくは、ＴＹＰＥ３の形状をした大容量、高転送速度のメモリカードパックに記録し、低解像度の再生映像が得られる低ビットレートのビットストリームを切手サイズの比較的容量の小さいＳＤメモリカード等のメモリカードに記録する等の方法が考えられる。
【００２０】
また、記録媒体は、ＰＣＩバスなどの汎用バスに設けられた複数の装填手段に着脱する構成としても良い。
【００２１】
（実施の形態２）
図３は本発明の実施の形態２における撮影装置のブロック構成図である。
【００２２】
本発明の実施の形態２の撮影装置は実施の形態１のビューファインダー１２に代えて、映像信号出力手段１３を備える。第１の記録媒体８から第ｎの記録媒体９のいずれかの中に予め記録された映像ファイルが記録再生制御手段５によって読み出される。読み出された映像ファイルは映像ファイル再生手段１０を用いて再生される。映像信号合成手段１１によって、映像ファイル再生手段１０を用いて再生された映像信号と、撮像手段１によって撮像され記録映像信号処理手段２によって信号処理を行われた映像信号が合成される。合成された映像信号は映像信号出力手段１３より撮影装置外部に出力される。この動作について図４に示す。実施の形態１と同様に、記録媒体に予めクロマキー合成などに用いる映像を記録しておき、収録時に撮影と同時に再生する。予め記録された映像信号と撮影された映像信号は合成され、撮影装置外部に出力される。これを映像信号出力手段１３である外部のモニタなどで映像として出力する。以上のように本実施の形態によれば、最終的にはクロマキー合成などの加工処理を行うことを目的とした映像を撮影する場合に、予め記録媒体に記録された合成用に使用する映像と、撮影された映像とを撮影装置内で合成処理し、合成された映像を撮影装置外部の表示手段で表示して確認しながら撮影を行うことが可能となる。
【００２３】
（実施の形態３）
図５は本発明の実施の形態３における撮影装置のブロック構成図である。
【００２４】
本発明の実施の形態３の撮影装置は実施の形態１に加え、合成映像ファイル生成手段１４を備える。第１の記録媒体８から第ｎの記録媒体９のいずれかの中に予め記録された映像ファイルが記録再生制御手段５によって読み出される。読み出された映像ファイルは映像ファイル再生手段１０を用いて再生される。映像信号合成手段１１によって、映像ファイル再生手段１を用いて再生された映像信号と、撮像手段１によって撮像され記録映像信号処理手段２によって信号処理を行われた映像信号が合成される。合成された映像信号は合成映像ファイル生成手段１４によって符号化し、所定のファイル形式の映像ファイルとなり、第１の記録媒体８から第ｎの記録媒体９のいずれかに記録される。このとき記録される映像ファイルは記録再生制御手段５の制御により映像ファイル生成手段４によって生成された映像ファイル、予め記録されていた映像ファイルとは別ファイルに記録される。これによってビューファインダー１２で確認したクロマキー合成された映像信号と、撮像手段１によって撮像された映像信号の２種類の映像を記録することができる。
【産業上の利用可能性】
【００２５】
本発明の撮影装置は、クロマキー合成を行った結果をビューファインダー等で確認しながら合成前の映像信号を記録する事により、撮影後に事前に記録媒体に記録しておいた合成用映像と異なる映像と合成を行う事が可能となる等、撮影後に行う編集作業の自由度を広げることが可能となる。
【図面の簡単な説明】
【００２６】
【図１】本発明の実施の形態１における撮影装置のブロック構成図
【図２】本発明の実施の形態１における動作の説明図
【図３】本発明の実施の形態２における撮影装置のブロック構成図
【図４】本発明の実施の形態２における動作の説明図
【図５】本発明の実施の形態３における撮影装置のブロック構成図
【符号の説明】
【００２７】
１  撮像手段
２  記録映像信号処理手段
３  映像信号符号化手段
４  映像ファイル生成手段
５  記録再生制御手段
６  第１の装填手段
７  第ｎの装填手段
８  第１の記録媒体
９  第ｎの記録媒体
１０  映像ファイル再生手段
１１  映像信号合成手段
１２  ビューファインダー
１３  映像信号出力手段
１４  合成映像ファイル生成手段
【図１】
2006148399.tif 000003
【図２】
2006148399.tif 000004
【図３】
2006148399.tif 000005
【図４】
2006148399.tif 000006
【図５】
2006148399.tif 000007